(57)【要約】【課題】着用者に対する装着を安定させ、インジケーターを適切に反応させる。【解決手段】本発明に係る使い捨ておむつ１０では、クロッチ伸縮部２００ａは、胴回り保持部及びレッグ弾性部材７１と離間して設けられており、クロッチ伸縮部２００ａの製品長手方向Ｌの前胴回り域２０側及び後胴回り域３０側に、非伸縮領域が設けられており、クロッチ伸縮部２００ａを跨いで製品長手方向Ｌに延び、水分と接触すると視覚的に変化するように構成されているインジケーター６００が備えられており、かかる変化は、使い捨ておむつ１０の非肌当接面側Ｓ１から視認可能である。【選択図】図２
2014094194.tif 000002
【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記脚回り開口部に沿って、前記股下域を跨ぎ前記前胴回り域から前記後胴回り域まで延びるように形成されているレッグ弾性部材と、
前記前胴回り域及び前記後胴回り域において、前記製品幅方向に沿って延び、前記使い捨ておむつを着用者の身体に保持するように構成されている胴回り保持部と、
前記股下域において前記製品幅方向の中心を跨ぎ前記吸収体が配置されている領域と重なる位置に形成されている伸縮可能なクロッチ伸縮部とを備え、
前記クロッチ伸縮部は、前記胴回り保持部及び前記レッグ弾性部材と離間して設けられており、
前記クロッチ伸縮部の前記製品長手方向の前記前胴回り域側及び前記後胴回り域側に、非伸縮領域が設けられており、
前記クロッチ伸縮部を跨いで前記製品長手方向に延び、水分と接触すると視覚的に変化するように構成されているインジケーターが備えられており、
前記変化は、前記使い捨ておむつの非肌当接面側から視認可能であることを特徴とする使い捨ておむつ。
【請求項２】
前記吸収体は、吸収性コアを有しており、
前記吸収性コアの前記製品幅方向の長さは、前記前胴回り域から前記股下域に向かって短くなり、前記後胴回り域から前記股下域に向かって短くなるように構成されており、
前記クロッチ伸縮部は、前記吸収性コアの前記製品幅方向の長さが所定長よりも短くなっている領域に設けられていることを特徴とする請求項１に記載の使い捨ておむつ。
【請求項３】
前記吸収体は、吸収性コアを有しており、
前記クロッチ伸縮部の収縮率は、１.２倍以上１.８倍以下であり、
前記使い捨ておむつの自然状態において、前記吸収性コアの肌当接面側及び非肌当接面側に、前記クロッチ伸縮部の収縮により凹凸形状が存在するように構成されており、
前記肌面当接側に形成される凹凸形状は、前記非肌面当接側に形成される凹凸形状と比べて、高さが高く且つピッチが大きくなるように構成されていることを特徴とする請求項１又は２に記載の使い捨ておむつ。
【請求項４】
前記後胴回り域の前記製品長手方向における長さと前記前胴回り域の前記製品長手方向における長さとの比率は、１.１以上１.６以下であることを特徴とする請求項１乃至３のいずれか一項に記載の使い捨ておむつ。
【請求項５】
前記吸収体は、吸収性コアを有しており、
前記クロッチ伸縮部の前記製品幅方向における長さと前記吸収性コアの前記製品幅方向における長さとの比率は、６０％以上１２０％以下であることを特徴とする請求項１乃至４のいずれか一項に記載の使い捨ておむつ。
【請求項６】
前記クロッチ伸縮部の前記製品長手方向における収縮量は、前記使い捨ておむつの製品長手方向における長さの２％以上８％以下であることを特徴とする請求項１乃至５のいずれか一項に記載の使い捨ておむつ。
【請求項７】
前記クロッチ伸縮部は、伸縮シートによって構成されており、
前記インジケーターよりも非肌当接面側に、前記伸縮シートが設けられており、
前記伸縮シートの光線透過率は、６０％以上８７％以下であることを特徴とする請求項１乃至６のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に向かって延びる吸収体を備えた使い捨ておむつが知られている。
【０００３】
ここで、特許文献１には、このような使い捨ておむつにおいて、着用補助者に対して使い捨ておむつの交換時期を知らせるために、水分と接触すると視覚的に変化する親水性の剤をインジケーターとして股下域に設ける技術について開示されている。
【先行技術文献】
【特許文献】
【０００４】
【特許文献１】特開２００４-３３７３８５号公報
【発明の概要】
【発明が解決しようとする課題】
【０００５】
しかしながら、着用者が低月齢の乳幼児である場合、使い捨ておむつの交換回数が多く夜中の交換も多いが、特許文献１に記載の使い捨ておむつでは、かかる状況を考慮して着用者に安定的に装着させるという観点で十分な対策が取られていない。
【０００６】
また、着用者が高月齢の乳幼児である場合、使い捨ておむつの装着時にも着用者が動き回ろうとするため、短時間で着用者に対して使い捨ておむつを装着させなければならず、特許文献１に記載の使い捨ておむつでは、着用者に安定的に装着させることが困難である。
【０００７】
さらに、特許文献１に記載の使い捨ておむつでは、装着時に、使い捨ておむつの股下域及び着用者の排泄口が離れすぎている。
【０００８】
したがって、特許文献１に記載の使い捨ておむつでは、着用者が排泄している場合であっても、インジケーターが使い捨ておむつの交換時期を知らせることができなくなる可能性があるという問題点があった。
【０００９】
例えば、特許文献１に記載の使い捨ておむつでは、着用者の排泄位置とインジケーター配置領域とが一致しないため、着用者が排泄しているのに、インジケーターが反応（変色）しないというケースが想定される。
【００１０】
具体的には、使い捨ておむつの装着位置が、正しい位置から左右にずれたため、吸収体の製品幅方向の端部において排泄液を吸収しているが、製品幅方向の中央に設けられているインジケーターが変色しないといったケースが想定される。
【００１１】
さらに、使い捨ておむつの股下域及び着用者の排泄口が離れているため、着用者が仰向け寝姿勢で排泄した場合、股下域における吸収体で排泄液を吸収せず、後胴回り域における吸収体で排泄液を吸収する。その結果、着用者の背中側に位置するインジケーターしか変色しないといったケースが想定される。
【００１２】
特に、着用補助者は、着用者がロンパースを着ている場合、ロンパースの股下域のみを開けてインジケーターを確認し、着用者が排泄したか否かについて判断するため、着用者の背中側に位置するインジケーターしか変色していないケースでは、着用補助者は、着用者が排泄していないと思ってしまう。
【００１３】
以前は、使い捨ておむつの交換機時期は、着用補助者の経験則によって、使い捨ておむつを触ったり臭ったりして複合的に判断していた。
【００１４】
しかしながら、近年は、着用補助者が育児に不慣れであるケースの増加や着用補助者の育児時間の短縮で、着用補助者は、使い捨ておむつの交換時期の判断についてインジケーターに大きく頼る状況が増加し、インジケーターを適切に変色させる必要性が高まっている。
【００１５】
また、着用補助者の清潔意識は年々高まっており、着用者が排泄していれば使い捨ておむつを交換してあげたいという着用補助者の思いは強まり、インジケーターの変色の偏りは、使い捨ておむつの過度な交換を促してしまうこともある。
【００１６】
そこで、本発明は、このような状況に鑑みてなされたものであり、着用者に対する装着を安定させ、インジケーターを適切に反応させることができる使い捨ておむつを提供することを目的とする。
【課題を解決するための手段】
【００１７】
本発明の第１の特徴は、使い捨ておむつであって、前胴回り域と、後胴回り域と、前記前胴回り域と前記後胴回り域との間に位置する股下域と有し、一対の脚回り開口部が形成されると共に、前記股下域を跨ぎ前記前胴回り域及び前記後胴回り域に向かって延びる吸収体を備え、前記前胴回り域から前記後胴回り域に向かう製品長手方向と、前記製品長手方向と直交する製品幅方向とを有する使い捨ておむつであって、前記脚回り開口部に沿って、前記股下域を跨ぎ前記前胴回り域から前記後胴回り域まで延びるように形成されているレッグ弾性部材と、前記前胴回り域及び前記後胴回り域において、前記製品幅方向に沿って延び、前記使い捨ておむつを着用者の身体に保持するように構成されている胴回り保持部と、前記股下域において前記製品幅方向の中心を跨ぎ前記吸収体が配置されている領域と重なる位置に形成されている伸縮可能なクロッチ伸縮部とを備え、前記クロッチ伸縮部は、前記胴回り保持部及び前記レッグ弾性部材と離間して設けられており、前記クロッチ伸縮部の前記製品長手方向の前記前胴回り域側及び前記後胴回り域側に、非伸縮領域が設けられており、前記クロッチ伸縮部を跨いで前記製品長手方向に延び、水分と接触すると視覚的に変化するように構成されているインジケーターが備えられており、前記変化は、前記使い捨ておむつの非肌当接面側から視認可能であることを要旨とする。
【発明の効果】
【００１８】
本発明の特徴によれば、着用者に対する装着を安定させ、インジケーターを適切に反応させることができる使い捨ておむつを提供することができる。
【図面の簡単な説明】
【００１９】
【図１】本発明の第１の実施形態に係る使い捨ておむつの展開平面図（肌当接面側Ｓ２）である。
【図２】本発明の第１の実施形態に係る使い捨ておむつの展開平面図（非肌当接面側Ｓ１）である。
【図３】図１及び図２に示すＦ１-Ｆ１線に沿った本実施形態に係る使い捨ておむつの断面図である。
【図４】図１及び図２に示すＦ１-Ｆ１線に沿った本実施形態に係る使い捨ておむつの断面図である。
【図５】図１に示すＦ２-Ｆ２線に沿った本実施形態に係る使い捨ておむつの断面図である。
【発明を実施するための形態】
【００２０】
（本発明の第１の実施形態）
図１乃至図５を参照して、本発明の第１の実施形態に係る使い捨ておむつ１０について説明する。
【００２１】
なお、以下の図面の記載において、同一又は類似の部分には、同一又は類似の符号を付している。ただし、図面は模式的なものであり、各寸法の比率等は現実のものとは異なることに留意すべきである。
【００２２】
したがって、具体的な寸法等は、以下の説明を参酌して判断すべきである。また、図面相互間においても互いの寸法の関係や比率が異なる部分が含まれ得る。
【００２３】
なお、本実施形態では、テープ型の使い捨ておむつ１０を例に挙げて説明を行うが、本発明は、パンツ型の使い捨ておむつ１０にも適用可能である。
【００２４】
図１は、本実施形態に係る使い捨ておむつ１０の非肌当接面側Ｓ１から見た展開平面図であり、図２は、本実施形態に係る使い捨ておむつ１０の肌当接面Ｓ２側から見た展開平面図であり、図３及び図４は、図１に示したＦ１-Ｆ１線に沿った本実施形態に係る使い捨ておむつ１０の断面図であり、図５は、図１に示したＦ２-Ｆ２線に沿った本実施形態に係る使い捨ておむつ１０の断面図である。
【００２５】
図１及び図２に示す展開平面図は、使い捨ておむつ１０を構成するトップシート５０やサイドフラップ７０等の皺が形成されない状態まで、レッグ伸縮部７５及びレッグサイドギャザー８０の弾性部材（レッグ弾性部材）７１を伸長させた状態の図である。
【００２６】
図１及び図２に示すように、本実施形態に係る使い捨ておむつ１０は、前胴回り域２０と、股下域２５と、後胴回り域３０とを有する。
【００２７】
ここで、前胴回り域２０は、着用者の前胴回り部（腹部分）と接する部分であり、後胴回り域３０は、着用者の後胴回り部（背部分）と接する部分であり、股下域２５は、前胴回り域２０と後胴回り域３０との間に位置する部分である。
【００２８】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００２９】
ここで、股下域２５内に、クロッチ部２００が形成されており、クロッチ部２００よりも着用者の腹側の領域を、前胴回り領域２０と定義し、クロッチ部２００よりも着用者の背側の領域を、後前胴回り領域３０と定義とするものとする。
【００３０】
また、使い捨ておむつ１０には、一対の脚回り開口部３５が形成される。脚回り開口部３５は、使い捨ておむつ１０の製品幅方向Ｗの側端部に設けられており、使い捨ておむつ１０が着用者に着用された状態で、着用者の脚回りに沿って配置される部分である。
【００３１】
本実施形態に係る使い捨ておむつ１０は、股下域２５を跨ぎ、且つ、股下域２５から前胴回り域２０及び後胴回り域３０の少なくとも一方に向かって延びる吸収体４０を備える。
【００３２】
図３〜図５に示すように、吸収体４０は、吸収性コア４０ａとコアラップ４０ｂとによって構成されている。
【００３３】
吸収性コア４０ａは、従来の使い捨ておむつで用いられているものと同様であり、粉砕パルプや高吸収ポリマー等、公知の部材や材料を用いて、吸収性コア４０ａを適宜構成することができる。吸収性コア４０ａは、シート状のコアラップ４０ｂによって包まれている。
【００３４】
コアラップ４０ｂは、吸収性コア４０ａを被覆するシートである。コアラップ４０ｂの少なくとも肌当接面側Ｓ２の一部は、液透過性を有する各種の繊維不織布若しくはティッシュシートによって構成されている。
【００３５】
例えば、コアラップ４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００３６】
また、図３〜図５に示すように、吸収体４０の表面側（肌当接面側Ｓ２）には、液透過性のトップシート５０が備えられており、吸収体４０の裏面側（非肌当接面側Ｓ１）には、液不透過性のバックシート６０ａが備えられている。
【００３７】
また、図３〜５に示すように、バックシート６０ａの裏面側（非肌当接面側Ｓ１）には、股下域２５を跨ぎ前胴回り域２０及び後胴回り域３０に延びる１枚のシート６１（例えば、フィルム）が備えられており、シート６１の裏面側（非肌当接面側Ｓ１）には、外装シート６０が備えられている。
【００３８】
ここで、股下域２５を跨ぎ前胴回り域２０及び後胴回り域３０に延びる領域に、使い捨ておむつ１０の非肌当接面側Ｓ１から視認可能なデザインが設けられている。かかるデザインは、シート６１上に設けられている。
【００３９】
吸収体４０の製品幅方向Ｗにおける両側縁部には、サイドフラップ７０がそれぞれ備えられている。サイドフラップ７０は、１枚又は２枚以上の複数枚重ねた不織布によって構成されている。
【００４０】
また、図１及び図２に示すように、一対のサイドフラップ７０には、ファスニングテープ９０がそれぞれ備えられている。
【００４１】
ファスニングテープ９０は、後胴回り域３０において、製品幅方向Ｗに延びており、前胴回り域２０の非肌当接面に取り付けられることによって、使い捨ておむつ１０を着用者の身体に保持するように構成されている。
【００４２】
ターゲット部９５は、前胴回り域２０の非肌当接面に配置されており、一対のファスニングテープ９０は、ターゲット部９５に止着するように構成されている。
【００４３】
本実施形態に係る使い捨ておむつ１０において、ファスニングテープ９０と前胴回り域２０（ターゲット部９５）と後胴回り域３０とによって、前胴回り域２０及び後胴回り域３０において、製品幅Ｗ方向に沿って延び、使い捨ておむつ１０を着用者の身体に保持するように構成されている胴回り保持部を構成する。
【００４４】
ここで、後胴回り域３０における胴回り保持部は、ファスニングテープ９０の係合部材が設けられた領域から製品幅方向Ｗに延びる範囲であり、前胴回り域２０における胴回り保持部は、ターゲット部９５が設けられた領域から製品幅方向Ｗに延びる範囲である。
【００４５】
また、図１及び図２に示すように、本実施形態に係る使い捨ておむつ１０は、股下域２５に形成されている伸縮可能なクロッチ伸縮部２００ａを備えている。
【００４６】
具体的には、クロッチ伸縮部２００ａは、クロッチ部２００内に、より具体的には、股下域２５内において製品幅方向の中心を跨ぎ且つ吸収体４０が配置されている吸収体配置領域内に形成されている。なお、クロッチ伸縮部２００ａの構成については、後述にて詳細に説明する。
【００４７】
また、図１及び図２に示すように、吸収体４０の表面側（トップシート５０側）には、脚回り開口部３５に沿って形成され、少なくとも製品長手方向Ｌに伸縮可能な一対のレッグ伸縮部（レッグギャザー）７５が備えられている。
【００４８】
レッグ伸縮部７５は、製品長手方向Ｌにおいて、クロッチ伸縮部２００ａよりも長いと共に、製品幅方向Ｗにおいて、クロッチ伸縮部２００ａよりも外側に備えられている。
【００４９】
レッグ伸縮部７５は、脚回り開口部３５を製品長手方向Ｌに伸縮できるように構成されていればよく、脚回り開口部３５に沿って配置されていてもよいし、レッグ伸縮部７５の一部は、脚回り開口部３５に対して傾斜した状態で配置されていてもよい。
【００５０】
また、レッグ伸縮部７５は、伸縮性シート等によって実質的に製品長手方向Ｌに収縮する部分であり、収縮力が発揮されない状態で伸縮性シートが配置された部分を除く概念である。なお、レッグ伸縮部７５の構成については、後述にて詳細に説明する。
＜レッグサイドギャザー８０＞
また、図１に示すように、一対のレッグ伸縮部７５の内側（製品幅方向Ｗにおける中央寄り）には、製品長手方向Ｌに沿って延びる一対のレッグサイドギャザー８０が備えられていてもよい。
【００５１】
レッグサイドギャザー８０は、サイドフラップ７０の製品幅方向Ｗの内側端部に設けられており、レッグ伸縮部７５よりも製品幅方向Ｗの内側に配置される起立性の伸縮ギャザーである。
【００５２】
レッグサイドギャザー８０は、従来において周知の構成を採用することができ、具体的には、サイドフラップ７０と別のシート材によって構成されていてもよい。
【００５３】
サイドフラップ７０は、製品幅方向Ｗにおける内側端部においてトップシート５０側に折り返されており、２層に積層されている。
【００５４】
図３及び図４に示すように、積層された状態のサイドフラップ７０の間に、製品長手方向Ｌに伸長された状態で、弾性部材７１（図３及び図４参照）が設けられている。サイドフラップ７０及び弾性部材７１によって、レッグサイドギャザー８０が形成される。
【００５５】
レッグサイドギャザー８０は、トップシート５０又はバックシート６０ａに接合される接合部分８１と、弾性部材７１が配置された自由端部分８２とを有する。
【００５６】
自由端部分８２のうち、股下域２５を含む製品長手方向Ｌの中央部分は、弾性部材７１によって製品長手方向Ｌに収縮し、収縮部８４を構成する。
【００５７】
レッグサイドギャザー８０は、使い捨ておむつ１０の着用時には、接合部分８１を基端部として立ち上がり、自由端部分８２の収縮部８４が頂点部として着用者の肌と接触する。すなわち、接合部分は、レッグサイド伸縮部の立ち上がりの基端部となる。
【００５８】
なお、収縮部８４は、弾性部材７１によって実質的に製品長手方向Ｌに収縮した部分であり、収縮力が発揮されない状態で弾性部材７１が配置された部分を除く概念である。
【００５９】
また、図１及び図２に、レッグサイドギャザー８０において、サイドフラップ７０とトップシート５０（又は、バックシート６０ａ等）とが接合された接合部分８１に斜線を付して示す。
【００６０】
接合部分８１は、複数設けられており、第１接合部分８１Ａは、収縮部８４よりも製品長手方向Ｌの外側に配置されており、第２接合部分８１Ｂは、収縮部８４よりも製品幅方向Ｗの外側に配置されている。
【００６１】
よって、レッグサイドギャザー８０は、股下域２５を含む製品長手方向Ｌの中央部分が着用者側に立ち上がるように構成される。
【００６２】
レッグサイドギャザー８０の接合部分８１のうち、収縮部８４よりも製品長手方向Ｌの外側に配置されている第１接合部分８１Ａは、トップシート５０に接合される。
【００６３】
レッグサイドギャザー８０の接合部分８１のうち、収縮部８４よりも製品幅方向Ｗの外側に配置されている第２接合部分８１Ｂは、製品幅方向Ｗにおいて、クロッチ伸縮部２００ａとレッグ伸縮部７５との間に配置される。
【００６４】
第２接合部分８１Ｂは、製品長手方向Ｌの全長にてバックシート６０ａ（及び、製品長手方向Ｌの一部において外装シート６０）に接合される。なお、バックシート６０ａは、吸収体４０と外装シート６０との間に配置されており、防漏シートとして機能する。
【００６５】
なお、レッグサイドギャザー８０の接合部分８１は、種々の構成を採用できる。かかる接合部分８１は、例えば、製品長手方向Ｌに股下部２５から前胴回り域２０及び後胴回り域３０に延び、トップシート５０に接合される部分であってもよいし、吸収性コア４０ａよりも製品幅方向Ｗの外側において、液不透過性のバックシート６０ａや外装シート６０に接合される部分であってもよく、起立の基端部となるように構成される。
【００６６】
また、レッグサイドギャザー８０は、レッグ伸縮部７５よりも製品幅方向Ｗの内側に配置される起立性のギャザーであればよく、上述の構成に限定されず、従来において周知のレッグサイドギャザー８０の構成を採用できることは勿論である。
＜ウェスト伸縮部（ウェストギャザー）１００＞
また、使い捨ておむつ１０は、後胴回り域３０に形成され、製品幅方向Ｗに伸縮可能なウェスト伸縮部１００を備えていてもよい。
【００６７】
具体的には、ウェスト伸縮部１００は、製品幅方向Ｗにおける一対のファスニングテープ９１の間に設けられており、ファスニングテープ９１の間を製品幅方向Ｗに収縮するように構成されている。
【００６８】
本実施形態において、ウェスト伸縮部１００は、伸縮性シートによって構成されている。ウェスト伸縮部１００を構成する部材については、特に限定されないが、出来る限り薄くて曲げ剛性が低く、幅入り率が小さいものを用いることが好ましい。
【００６９】
ここで、曲げ剛性を低い材料によってウェスト伸縮部１００を構成することにより、ウェスト伸縮部１００が、着用者の身体に沿って曲がりやすくなり、着用者の身体に負荷をかけずに、ウェスト伸縮部１００を着用者の身体に沿わせてフィットさせることができる。
【００７０】
また、幅入りが小さい材料によってウェスト伸縮部１００を構成することにより、使い捨ておむつ１０が製品幅方向Ｗに伸長した場合における使い捨ておむつ１０の製品長手方向Ｗの収縮を抑制し、着用者の腰回り（ウェスト）において、使い捨ておむつ１０が着用者の股下側に引き下がることを抑制できる。
【００７１】
本実施形態では、ウェスト伸縮部１００として、目付けが２０〜４５ｇ/ｍ２の伸縮性フィルムを用いた。
【００７２】
ウェスト伸縮部１００は、非伸長状態（自然状態）における長さの１.２５〜２.５倍に引き延ばされた後、ホットメルト接着剤又は加熱処理等によって外装シート６０に接着される。
【００７３】
本実施形態では、ウェスト伸縮部１００は、外装シート６０とバックシート６０ａとの間に配置されている。しかし、コアラップ４０ｂが吸収性コア４０ａよりも製品長手方向Ｌの外側に延出する構成にあっては、ウェスト伸縮部１００は、コアラップ４０ｂとバックシート６０ａ（又は、外装シート６０）との間に配置されていてもよい。
【００７４】
ウェスト伸縮部１００の位置は、特に限定されない。また、吸収体４０が配置されない領域にあっては、ウェスト伸縮部１００は、サイドフラップ７０とバックシート６０ａ（又は、外装シート６０）との間に配置されていてもよい。
【００７５】
なお、本実施形態に係るウェスト伸縮部１００は、製品幅方向Ｗに伸縮するように構成されているが、製品幅方向Ｗ及び製品長手方向Ｌの両方に伸縮するように構成されていてもよい。
＜吸収体４０における低剛性領域２１０＞
ここで、吸収体４０は、後胴回り域３０において、吸収体４０の他の部位よりも目付けが低い又は吸収性コア４０ａが存在しない低剛性領域２１０を有する。
【００７６】
また、低剛性領域２１０は、吸収体４０の製品長手方向Ｌにおける後胴回り域３０側の端部Ｅ９近傍まで延びるように形成されている。
【００７７】
製品幅方向Ｗにおける低剛性領域２１０の幅は、吸収体４０の製品長手方向Ｌにおける後胴回り域３０側の端部Ｅ９に向かうに連れて広くなっている。
【００７８】
より具体的には、低剛性領域２１０の形状は、使い捨ておむつ１０の平面視において、くさび状である。
【００７９】
さらに、吸収体４０は、製品幅方向Ｗにおける伸縮が他の領域よりも抑制された領域である伸縮抑制領域２２０を有する。
【００８０】
ここで、伸縮抑制領域２２０は、図１に示すように、低剛性領域２１０の製品幅方向Ｗの外側にそれぞれ形成されている。
【００８１】
また、伸縮抑制領域２２０と低剛性領域２１０との境界は、製品幅方向Ｗの中心に向けて凸となるような円弧で形成されている。また、低剛性領域２１０よりも製品幅方向Ｗの外側における吸収体４０は、後胴回り域３０側の端部Ｅ９に向けて凸となる台形形状である。
【００８２】
かかる構成によれば、着用補助者に対して、着用者の臀部の形状のイメージを抱かせることができる。
【００８３】
特に、使い捨ておむつ１０が、テープ型の使い捨ておむつ１０である場合には、着用者の身体の下に使い捨ておむつ１０を敷く際に、吸収性コア４０ａが上述の形状とされていること、或いは、後胴回り域３０のウェスト伸縮部１００が上述の形状とされていることで、着用補助者に対して、着用者の臀部を置くべき位置を想起させることができるため、より使い捨ておむつ１０を正しい位置に装着させることが可能となる。
【００８４】
なお、ウェスト伸縮部１００及び吸収体４０は、使い捨ておむつ１０の平面視において、少なくとも一部において重なるように構成されている。
【００８５】
具体的には、ウェスト伸縮部１００は、使い捨ておむつ１０の平面視において、低剛性領域２１０の少なくとも一部と重なるように構成されている。
【００８６】
なお、本実施形態では、ウェスト伸縮部１００は、低剛性領域２１０の一部と重なって配置されているが、低剛性領域２１０の全てと重なって配置されていてもよい。
【００８７】
このような低剛性領域２１０が形成されていることにより、ウェスト伸縮部１００の伸縮を阻害せず、ウェスト伸縮部１００が収縮しても、低剛性領域２１０が狭まり、低剛性領域２１０よりも製品幅方向Ｗの外側における吸収体４０同士の間隔が狭くなるため、吸収体４０が、意図しない形状で隆起し難くなる。
【００８８】
なお、低剛性領域２１０は、排泄液の漏れ防止を考慮すると、ウェスト伸縮部１００の幅より狭い幅を有することが好ましい。
【００８９】
また、吸収体４０が、ウェスト伸縮部１００によって製品幅方向Ｗに収縮させられて、低剛性領域２１０よりも製品幅方向Ｗの外側における吸収体４０同士の間隔が狭くなると、低剛性領域２１０において、後胴回り域３０側の端部Ｅ９寄りの部位が、股下域２５寄りの部位よりも大きく製品幅方向Ｗの中央に寄せられるため、後胴回り域３０側の端部Ｅ９寄りの部位と股下域２５寄りの部位とでは、製品幅方向Ｗにおける収縮量の差が発生し、後胴回り域３０が起立するようになる。
【００９０】
すなわち、使い捨ておむつ１０には、製品幅方向Ｗに伸縮可能なウェスト伸縮部１００及びくさび状の低剛性領域２１０が設けられているため、使い捨ておむつ１０の装着時に、非肌当接面側Ｓ１に使い捨ておむつ１０が膨らむカップ形状が形成され易い。
【００９１】
また、本実施形態では、低剛性領域２１０には、吸収性コア４０ａが存在せず、低剛性領域２１０と重なるように、ウェスト伸縮部１００が存在するため、低剛性領域２１０において、後胴回り域３０側の端部Ｅ９寄りの部位が、吸収性コア４０ａの端部位置よりも大きく製品幅方向Ｗ中央に寄せられ、後胴回り域３０の立ち上がりが、より顕著になるため、カップ形状をより安定して形成し得る。
【００９２】
本実施形態では、ウェスト伸縮部１００は、吸収性コア４０ａの製品幅方向Ｗにおける側縁を超えて存在するため、使い捨ておむつ１０をカップ形状に形成しつつ、製品長手方向Ｌにおける後胴回り域３０側の端部Ｅ９側寄りの位置の吸収性コア４０ａについては、着用者の身体に積極的に沿わせることができる。
【００９３】
さらには、ウェスト伸縮部１００及び低剛性領域２１０の少なくとも一部は、一対のファスニングテープ９０から製品幅方向Ｗに延びる領域に存在する。
【００９４】
よって、使い捨ておむつ１０を下に敷いて着用者を寝かせた状態で、使い捨ておむつ１０を着用者に装着する際でも、吸収性コア４０ａの製品幅方向Ｗにおける側縁を超えて存在するウェスト伸縮部１００が、着用者の身体の下に敷かれない。
【００９５】
したがって、一対のファスニングテープ９０を引っ張ることによってウェスト伸縮部１００の側縁が伸長し、カップ形状のウェスト側寄りの位置を、より確実に着用者の身体に沿わせることが容易となる。
【００９６】
本実施形態では、低剛性領域２１０よりも製品幅方向Ｗの外側における吸収性コア４０ａが、後胴回り域３０側に向かって凸形状である。このため、上述したように、非肌当接面側Ｓ１に使い捨ておむつ１０が膨らむカップ形状が形成され易くすることに加え、吸収性コア４０ａの表面面積が維持されるため、吸収性コア４０ａの端部からの排泄液の漏れを防止し得る。
【００９７】
本実施形態では、低剛性領域２１０は、使い捨ておむつ１０の平面視において、くさび状であり、吸収性コア４０ａと低剛性領域２１０との境界は、股下域２５に向けて凸となるような円弧によって形成されている。なお、かかる円弧の半径は、５０ｍｍ〜２００ｍｍである。
【００９８】
このため、（自然状態の）低剛性領域２１０の製品幅方向Ｗにおける長さ（幅）は、製品長手方向Ｌにおける後胴回り域３０側の端部Ｅ９に行くに連れて非線形に大きくなり、後胴回り域３０の立ち上がりが、より顕著になるため、カップ形状をより安定して形成し易い。
【００９９】
さらに、吸収性コア４０ａと低剛性領域２１０との境界が、股下域２５に向けて凸となるような円弧によって形成されるため、後胴回り域３０が、低剛性領域２１０の収縮によって丸みのあるカップ形状となり、着用者の丸みのある臀部に沿い易い形状となる。
【０１００】
また、低剛性領域２１０が形成されていることで、吸収体４０の後胴回り域３０側の端部Ｅ９には、左右それぞれに後回り域３０側に向かう凸形状が形成されている。かかる吸収体４０の形状は、着用者の臀部を乗せることを想起させるため、着用補助者は、使い捨ておむつ１０を、より着用者にとって正しい位置に合わせ易くなるという効果がある。
＜吸収体４０の曲げ剛性＞
本実施形態における曲げ剛性は、テーバー法（ＪＩＳＰ８１２５）に準拠した剛性値に基づいており、以下の方法によって測定される。
【０１０１】
まず、使い捨ておむつ１０を展開状態にて、曲げ剛性の測定対象部分のサンプル（例えば、吸収体４０）を採取する。
【０１０２】
サンプルは、曲げ剛性の測定対象部分について、７０ｍｍ（製品幅方向Ｗの長さ）×３８ｍｍ（製品長手方向Ｌの長さ）の寸法とする。サンプル中に、弾性部材が含まれる場合には、かかる弾性部材を取り除いておく。なお、剛性値の測定の試験器は、（株）安田精機製作所製のテーバースティフネステスターを使用する。また、サンプル数は、１０であり、各サンプルについて測定し、その平均値を剛性値とする。
【０１０３】
かかる測定の手順は、以下の（ａ）〜（ｅ）の通りである。
（ａ）採取したサンプルの厚み（Ａ）を測定する。
（ｂ）次いで、試験機のチャック（下側）の中心に触れる程度にサンプルを挟み込む。
（ｃ）支持ローラとサンプルとの左右隙間の合計を（Ａ）×０.８０（ｍｍ）に調節する。
（ｄ）指示荷重目盛が最大目盛りの１５〜８５％の範囲に入るように、補助おもりを適切に選択する。
（ｅ）サンプルを左右両方向に回転させ、１５度支持刻線と振り子の中心刻とが一致した点で停止させ、試験機の目盛りを読み取る。目盛りの左側の数値を（Ｂ）とし、目盛りの右側の数値を（Ｃ）とする。
【０１０４】
剛性値は、以下の式によって求められる。
【０１０５】
式： 剛性値（ｍＮ・ｍ）＝(（（Ｂ）＋（Ｃ））/２)×（補助おもり係数）×９.８ 1×１０-2 
なお、試験片の幅が３８ｍｍを採取できない場合には、３８ｍｍ幅の曲げモーメントへ換算を行う。
【０１０６】
このように測定した剛性値が高いほど、曲げ剛性が高く、剛性値が低い程、曲げ剛性が低くなる。
＜ファスニングテープ及びターゲット部の構成＞
ファスニングテープ９０は、後胴回り域３０に対応するサイドフラップ７０の領域に取り付けられている。
【０１０７】
具体的には、図１に示すように、ファスニングテープ９０は、サイドフラップ７０に連結された基材シート９１と、複数の係合部材としての係合フック（図示せず）が設けられ、基材シート９１に固定されたフックシート９２とを備える。
【０１０８】
フックシート９２は、係合部材が設けられた領域であり、上述の胴回り保持部は、フックシート９２から製品幅方向Ｗに延びる領域である。
【０１０９】
フックシート９２は、基材シート９１に固定（具体的には、接合）されている。
【０１１０】
かかるフックシート９２と基材シート９１との接合は、ファスニングテープ９０の剛性が必要以上に高くなることがないようされていることが好ましい。具体的には、フックシート９２及び基材シート９１とは、点状、線状或いはスパイラル状のような間欠的に塗布されたホットメルト接着剤によって接合されていることが好ましい。なお、フックシート９２及び基材シート９１は、熱シール等で接合されてもよい。  
【０１１１】
基材シート９１は、１枚又は２枚以上の複数枚重ねた不織布によって構成されている。基材シート９１としては、ＳＢ（スパンボンド）又はＳＭＳ（スパンボンド-メルトブロン-スパンボンド）等の製法によって製造された不織布を用いることができる。基材シート９１を構成する不織布の目付け（複数枚の場合は、合計目付け）は、３０〜１２０ｇ/ｍ２であり、好ましくは４０〜９０ｇ/ｍ２である。
【０１１２】
ターゲット部９５は、前胴回り域２０の外装シート６０の非肌当接面に設けられている。ターゲット部９５は、ファスニングテープの係合フックが引っ掛かるように構成されており、フックとループの係止システムのループとして機能する。ターゲット部９５としては、例えば、エアースルー不織布を用いることができる。
【０１１３】
ターゲット部９５は、例えば、ポリオレフィン系の熱可塑性合成樹脂繊維から作られた繊維不織布又はポリオレフィン系の熱可塑性合成樹脂フィルムを用いることができる。また、ターゲット部９５に取り付けられたループは、ポリオレフィン系の熱可塑性合成樹脂によって形成できる。
【０１１４】
更に、ターゲット部９５として、嵩高の不織布であって、その一部をエンボスすることで不織布表面の毛羽立ちを防止した不織布を用いてもよい。
【０１１５】
また、使い捨ておむつ１０の外装シート６０を不織布によって形成し、ファスニングテープ９０の取り付け位置を示す図柄をバックシート６０ａ又は外装シート６０の非肌当接面に印刷する、若しくは、かかる図柄のシートをバックシート６０ａ又は外装シート６０の非肌当接面側Ｓ１に配置することによってもターゲット部９５とすることができる。
＜レッグ伸縮部７５＞
レッグ伸縮部７５は、吸収体４０よりも製品幅方向Ｗの外側に設けられた脚回り開口部３５に沿って配置され、製品長手方向Ｌに伸縮可能に構成されている。
【０１１６】
レッグ伸縮部７５は、股下域２５において製品幅方向Ｗにおける位置が最も内側に位置する幅方向内端領域７５Ｉを有している。
【０１１７】
脚回り開口部３５及びレッグ伸縮部７５は、特に、後胴回り域３０において、股下域２５から製品長手方向Ｌの外側に向かうにつれて製品幅方向Ｗの外側に向かって延びている。
【０１１８】
なお、レッグ伸縮部７５の幅方向内端領域７５Ｉは、製品長手方向Ｌに連続して配置されていてもよいし、製品長手方向Ｌに連続していなくてもよい。
【０１１９】
本実施形態では、脚回り開口部３５の製品幅方向Ｗにおける位置が股下域において最も内側に位置する領域は、レッグ伸縮部７５の幅方向内端領域７５Ｉと一致しているが、必ずしも一致していなくてもよい。
【０１２０】
本実施形態では、レッグ伸縮部７５は、伸縮性シートによって構成されている。例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【０１２１】
また、かかる伸縮性シートの代わりに、ポリウレタン弾性繊維や天然ゴムからなる糸状・帯状の弾性部材を、１本又は複数本配置することによって、レッグ伸縮部７５を構成してもよい。
【０１２２】
或いは、例えば、レッグ伸縮部７５は、所定本数の弾性部材（例えば、３本の弾性部材）によって構成されていてもよい。
【０１２３】
レッグ伸縮部７５は、サイドフラップ７０と外装シート６０との間に配置されている。或いは、吸収体４０と外装シート６０との間に配置されるバックシート６０ａが備えられる領域では、レッグ伸縮部７５は、バックシート６０ａとサイドフラップ７０との間に配置されている。
【０１２４】
具体的には、かかる伸縮性シート部材の幅（使い捨ておむつ１０の自然状態における製品幅方向Ｗにおける幅）は、少なくとも股下域２５において、５ｍｍ以上４５ｍｍ以下であることが好ましく、１２.５ｍｍ以上３５ｍｍ以下であることが好ましい
なお、かかる測定は、シンワ測定株式会社製スプリングメジャー（テープ部：ガラス繊維入り塩ビ被覆）を用いて、測定対象部位に沿わせるようにして行った（１０サンプル）。
【０１２５】
ここで、かかる伸縮性シート部材の幅が５ｍｍ未満では、実質的に面で着用者の脚回りに沿うことで、部分的に締め付ける力が集中せずに、弾性要素による着用者の肌への負荷を下げるという効果が発現せず、かかる伸縮性シート部材の幅が４５ｍｍを超えると、（自然状態の）使い捨ておむつ１０全体の製品幅方向Ｗの長さと比較して脚回り開口部３５に沿う領域が広くなり過ぎてしまい、伸縮性シートが着用者の身体側に巻き込んだり、めくれたりし易くなってしまう。
【０１２６】
レッグ伸縮部７５の伸縮率は、１.５〜２.２倍であることが好ましい。例えば、本実施形態では、レッグ伸縮部７５の伸縮率は、１.８〜２.０倍に設定されている。
【０１２７】
なお、伸縮率は、伸縮方向（本実施形態では、製品長手方向Ｌ）におけるレッグ伸縮部７５の伸縮の程度を意味し、以下のように規定される。
【０１２８】
伸縮率＝（最大伸張状態におけるレッグ伸縮部７５の伸縮方向における長さ）/（自然状態におけるレッグ伸縮部７５の伸縮方向における長さ）
なお、本明細書において、かかる伸縮率は、例えば、次のように測定されるものとする。
【０１２９】
第１に、使い捨ておむつ１０がパッケージ等に封入されている場合には、パッケージから使い捨ておむつ１０を取り出す。
【０１３０】
次いで、レッグ伸縮部７５の配置領域を切り出す。このとき、レッグ伸縮部７５に接合される外装シート６０も含めて切り出す。切り出した後のレッグ伸縮部７５のサンプルの伸長率を測定して、レッグ伸縮部７５の伸長率を計測する。
【０１３１】
各サンプルについて、２０℃±２℃、相対湿度６０％±５％ＲＨの雰囲気下において６０分間放置し、伸縮方向に沿ってレッグ伸縮部７５の長さを測定する。この長さを、「自然状態のレッグ伸縮部７５の長さ」とする。
【０１３２】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態におけるレッグ伸縮部７５の長さ」とする。
【０１３３】
これら測定結果を用い、上述の式にて算出することで伸長率が測定される。
【０１３４】
また、左右一対のレッグ伸縮部７５の製品幅方向Ｗにおける内側端の間隔は、股下域２５から前胴回り域２０に向かうに連れて広くなるとともに、股下域２５から後胴回り域３０に向かうに連れて広くなる。
【０１３５】
着用者の身体に使い捨ておむつ１０を装着する場合、股下部にて狭く前後の胴回りに向かって広がる形状にレッグ伸縮部７５を配置することで、よりレッグ伸縮部７５が、着用者の身体のラインに沿うことが可能となり、着用者の脚回りに好適にレッグ伸縮部７５が伸長配置されることとなる。
【０１３６】
さらに、左右一対のレッグ伸縮部７５の前胴回り域２０の端部における間隔（図中のＤ１）は、左右一対のレッグ伸縮部７５の後胴回り域３０の端部における間隔（図中のＤ２）よりも狭い。
【０１３７】
なお、これらの間隔は、使い捨ておむつ１０を自然状態から皺がない状態に製品長手方向Ｌ及び製品幅方向Ｗに拡幅して保持した後、左右一対のレッグ伸縮部７５の製品幅方向Ｗにおける内側端間の距離を測定したものである。
【０１３８】
着用者の身体の皮膚表面の伸びは、臀部において特に大きく、その幅方向外側寄りの位置にて顕著である。また、レッグ伸縮部７５は、着用者の身体に密着している。そこで、Ｄ２＞Ｄ１とすることで、使い捨ておむつ１０に着用者の動きが加わった場合でも、着用者の臀部側でのレッグ伸縮部７５が密着したまま伸びることができ、伸びの変化量が大きくてもレッグ伸縮部７５が突っ張ることがない。したがって、レッグ伸縮部７５による使い捨ておむつ１０のズレを抑制し得る。
【０１３９】
また、着用者の両脚の間隔は、股下部が最も狭く、股下部から腹側や背側に向かって広がる形状である。脚回り開口部３５及びレッグ伸縮部７５は、股下域２５から製品長手方向Ｌの外側及び製品幅方向Ｗの外側に向かって延びる形状であるため、着用者の脚回りに沿って脚回り開口部３５及びレッグ伸縮部７５を配置でき、局所的な応力集中を抑制できるため、比較的低い伸長率にて着用者に密着でき、肌への負担を減らすことが可能となる。
【０１４０】
レッグ伸縮部７５は、着用者の脚回りに沿って使い捨ておむつ１０を湾曲させて収縮するように構成されている。レッグ伸縮部７５の製品長手方向Ｌの端部は、製品幅方向Ｗに広がるように配置されており、胴回り保持部の近傍に配置される。よって、レッグ伸縮部７５の製品長手方向Ｌの端部は、胴回り保持部と共に製品幅方向Ｗに収縮するように作用する。
＜クロッチ伸縮部２００ａ＞
次に、クロッチ伸縮部２００ａの形状について説明する。
【０１４１】
クロッチ伸縮部２００ａは、吸収体４０の他の部分よりも、使い捨ておむつ１０の着用者への装着時において、股下域２５の一部に平坦な形状を維持できるように構成されている。
【０１４２】
ここで、クロッチ伸縮部２００ａは、製品長手方向Ｌに伸縮可能であってもよいし、製品幅方向Ｗに伸縮可能であってもよいし、製品長手方向Ｌ及び製品幅方向Ｗの両方に伸縮可能であってもよい。
【０１４３】
例えば、クロッチ伸縮部２００ａは、レッグ伸縮部７５とは個別独立して設けられており、吸収性コア４０ａと重なる位置（本実施形態では、吸収性コア４０ａを包むコアラップ４０ｂとバックシート６０との間の位置）において、かかる位置における吸収性コア４０ａの製品幅方向Ｗの長さ（自然状態）の６０％以上を収縮させるように構成されている。
【０１４４】
このように、クロッチ伸縮部２００ａによって吸収性コア４０ａが配置された部分を収縮させることにより、吸収性コア４０ａが縮み、吸収性コア４０ａが縮まない部分と比較して平坦な形状を維持し易くなる。
【０１４５】
一方、クロッチ伸縮部２００ａよりも製品長手方向Ｌ外側に位置する前胴回り域２０や後胴回り域３０に位置する吸収性コア４０ａは、クロッチ伸縮部２００ａによって収縮していない。
【０１４６】
したがって、ファスニングテープ９０により、着用者の腰やウェスト周りに保持された状態において、使い捨ておむつ１０の股下域２５に平坦な形状で維持されるクロッチ伸縮部２００ａが過度に身体に密着することなく、結果、クロッチ伸縮部２００ａが適度に身体に沿って配置される。
【０１４７】
また、クロッチ伸縮部２００ａが、製品長手方向Ｌに沿って伸縮可能である場合、前胴回り域２０及び後胴回り域３０が、クロッチ伸縮部２００ａの収縮によって立ち上がり易くなり、着用時には、着用者の股下部にて身体に沿って平坦な股下域を形成することができる。
【０１４８】
その結果、クロッチ伸縮部２００ａから前胴回り域２０及び後胴回り域３０が立ち上がるので、使い捨ておむつ１０の着用者へのフィット性が向上する。
【０１４９】
すなわち、クロッチ伸縮部２００ａの収縮によって、使い捨ておむつ１０の股下域２５が、着用者の股下部に配置されるように、安定して使い捨ておむつ１０を装着することができる。
【０１５０】
また、上述のように、クロッチ伸縮部２００ａは、伸縮可能となるように構成されているので、使い捨ておむつ１０の股下域２５の一部が、収縮して使い捨ておむつ１０の着衣側（非肌当接面側Ｓ１）の表面に凹凸の皺が形成される。
【０１５１】
この結果、着用補助者に対して、視覚的かつ触感的に、本実施形態に係る使い捨ておむつ１０においてクロッチ部２００が明確に存在することを想起させることが可能となる。
【０１５２】
なお、クロッチ伸縮部２００ａは、伸縮性シートによって構成されていてもよい。
【０１５３】
伸縮性シートによってクロッチ伸縮部２００ａを構成することにより、伸縮性シートを配置した領域の吸収性コア４０ａが一様に縮められ、平坦な形状維持がより容易になる。なお、伸縮性シートは、例えば、レッグ伸縮部７５と同様の伸縮性シートによって構成することができる。
【０１５４】
例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【０１５５】
また、かかる伸縮性シートの代わりに、ポリウレタン弾性繊維や天然ゴムからなる糸状・帯状の伸縮可能な弾性部材を、互いに並列に並べることによってクロッチ伸縮部２００ａを構成してもよい。
【０１５６】
かかる場合、吸収性コア４０ａの剛性及び使い捨ておむつ１０を構成する他の部材の剛性を考慮して、用いる弾性部材の太さや配置するピッチを適宜選択できるが、使い捨ておむつ１０本体を自然状態（非伸張状態）とした際に吸収性コア４０ａの製品幅方向Ｗにおける側縁部全域が収縮した状態となるようにすることが好ましい。
【０１５７】
また、クロッチ伸縮部２００ａによって吸収性コア４０ａを一様に縮めるためには、弾性部材同士の間隔を、７ｍｍ以下とすることが好ましく、５ｍｍ以下とすることがより好ましい。また、吸収性コア４０ａを一様に縮めるために、隣り合う弾性部材の間隔の差を、２ｍｍ以下とすることが望ましい。
【０１５８】
具体的には、クロッチ伸縮部２００ａの伸縮率は、１.２倍以上１.８倍以下であることが好ましい。例えば、本実施形態では、クロッチ伸縮部２００ａの伸縮率は、１.４倍に設定されている。
【０１５９】
伸縮率は、伸縮方向（本実施形態では、製品長手方向Ｌ）におけるクロッチ伸縮部２００ａの伸縮の程度を意味し、以下のように規定される。
【０１６０】
伸縮率＝（最大伸張状態におけるクロッチ伸縮部２００ａの伸縮方向における長さ）/（自然状態におけるクロッチ伸縮部２００ａの伸縮方向における長さ）
なお、本明細書において、かかる伸縮率は、例えば、次のように測定されるものとする。
【０１６１】
第１に、使い捨ておむつ１０がパッケージ等に封入されている場合には、パッケージから使い捨ておむつ１０を取り出し、その状態にて２０℃±２℃、相対湿度６０％±５％ＲＨの雰囲気下において６０分間放置し、伸縮方向に沿ってクロッチ伸縮部２００ａの長さを測定する。この長さを、「自然状態のクロッチ伸縮部２００ａの長さ」とする。
【０１６２】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態におけるクロッチ伸縮部２００ａの長さ」とする。
【０１６３】
これら測定結果を用い、上述の式にて算出することで伸長率が測定される。
【０１６４】
このように、クロッチ伸縮部２００ａの伸縮率を、１.２倍以上１.８倍以下とすることによって、着用者の皮膚の伸縮に好適に追従することができる。
【０１６５】
例えば、着用者が、身体前側が縮むような前屈みの姿勢をとると、着用者の臀部側の皮膚において、身体を伸ばした状態に対して３０％程度伸びる部位が存在する。
【０１６６】
つまり、クロッチ伸縮部２００ａの伸縮率を１.２倍以下とすると、自然状態におけるクロッチ伸縮部２００ａの収縮が十分でなく、クロッチ伸縮部２００ａが設けられていない場合と比較して、使い捨ておむつ１０の股下域２５における吸収体配置領域の収縮が小さく、使い捨ておむつ１０の股下域２５が、着用者の股下部において身体に沿うように平坦な形状をとることが不十分になってしまい、使い捨ておむつ１０が、着用者の身体からズレ易くなってしまう。
【０１６７】
一方、クロッチ伸縮部２００ａの伸縮率を１.８倍よりも大きくすると、クロッチ伸縮部２００ａの収縮方向における収縮寸法が大きくなり過ぎるため、クロッチ伸縮部２００ａが存在する領域が、身体に沿うよりも密着する状態となり易く、使い捨ておむつ１０が、着用者の下方にズレ易くなってしまう。
【０１６８】
また、クロッチ伸縮部２００ａの製品長手方向Ｌにおける収縮量は、使い捨ておむつ１０の製品長手方向Ｌにおける長さの２〜８％となるように構成されていてもよい。
【０１６９】
なお、収縮量は、皺が十分に小さくなり、サンプルの表面が平滑に近くなるように伸長した状態での長さ「ｂ（ｍｍ）」と、サンプルの伸縮方向に沿う向きにおける自然状態での長さ「ａ（ｍｍ）」との差であり、（ｂ-ａ）によって算出されることができる。
【０１７０】
本発明者は、クロッチ伸縮部２００ａの製品長手方向Ｌにおける収縮量を、使い捨ておむつ１０の製品長手方向Ｌにおける長さの２〜８％とすると、使い捨ておむつ１０を着用者に対して装着する過程において、クロッチ伸縮部２００ａが、好ましく着用者の身体に沿い易くなることを確認することができた。
【０１７１】
ここで、クロッチ伸縮部２００ａの製品長手方向Ｌにおける収縮量を、８％より大きくすると、クロッチ伸縮部２００ａが、縮み過ぎてしまい、使い捨ておむつ１０の製品長手方向Ｌにおける長さが足りず、使い捨ておむつ１０を着用者の身体に付け難くなったり、使い捨ておむつ１０及び着用者の身体が、股下域２５において、過度に密着してズレ易くなったりしてしまう。
【０１７２】
一方、クロッチ伸縮部２００ａの製品長手方向Ｌにおける収縮量を、２％以下とすると、使い捨ておむつ１０を着用者の身体に近付けるというクロッチ伸縮部２００ａの効果そのものが発現し難くなってしまう。
【０１７３】
また、製品長手方向Ｌにおけるクロッチ伸縮部２００ａの中心Ｏ２は、製品長手方向Ｌにおける使い捨ておむつ１０の中心Ｏ１よりも、前胴回り域２０側に配置されている。また、クロッチ伸縮部２００ａは、製品長手方向Ｌにおける使い捨ておむつ１０の中心Ｏ１を跨ぐように配置されている。
【０１７４】
また、クロッチ伸縮部２００ａは、製品長手方向Ｌにおける使い捨ておむつ１０の中心Ｏ１を含む位置に形成される。
【０１７５】
また、後胴回り域３０の製品長手方向Ｌにおける長さ（自然状態）は、前胴回り域２０の製品長手方向Ｌにおける長さ（自然状態）よりも長くなるように構成されている。
【０１７６】
具体的には、後胴回り域３０の製品長手方向Ｌにおける長さ（自然状態）と前胴回り域２０の製品長手方向Ｌにおける長さ（自然状態）との比率は、１.１以上１.６以下となるように構成されていることが好ましく、１.２以上１.５以下となるように構成されていることがより好ましい。
【０１７７】
かかる比率が、１.６を超えると、使い捨ておむつ１０の腹側と背側のバランスが崩れ、股下域２５にクロッチ伸縮部２００ａを沿わせた場合に、前胴回り域２０が過度に密着してしまったり、後胴回り域３０が必要以上に覆われたりしてしまう。
【０１７８】
具体的には、着用者の身体は、一般的に、下腹部よりも臀部がより出っ張った状態となっているため、クロッチ伸縮部２００ａと着用者の股下部とを合わせた上で、上述の比率を上述の範囲とすることによって、複雑な着用者の身体の形状に対して使い捨ておむつ１０がより適した形状となる。
【０１７９】
つまり、寸法が足りない部分が生じることによる使い捨ておむつ１０の部分的な突っ張りや、寸法が余る部分が生じることによる使い捨ておむつ１０と身体との間の不要の隙間を防止できる。
【０１８０】
また、特に、歩行開始前或いは歩行を開始した頃に用いる乳幼児の場合、身体が腹側に向かって丸まった姿勢をとることが好ましいとされており、そのような姿勢では臀部側の皮膚が伸びた状態になり易く、上述の比率を上述の範囲とすることによって、このような姿勢を取りやすい乳幼児の身体に適した状態となる。
【０１８１】
一例を挙げると、使い捨ておむつ１０の製品長４００ｍｍ（製品長手方向Ｌにおける自然状態の長さ）に対して、前胴回り域２０が１３０ｍｍ（製品長手方向Ｌにおける自然状態の長さ）に設定され、クロッチ部２００が８０ｍｍ（製品長手方向Ｌにおける自然状態の長さ）に設定され、後胴回り域３０が１９０ｍｍ（製品長手方向Ｌにおける自然状態の長さ）に設定される。
【０１８２】
この場合、前胴回り域２０と後胴回り域３０との長さ（自然状態）の比率は、約１.４６である。このような比率とすることによって、クロッチ伸縮部２００ａのみならず、使い捨ておむつ１０の製品長手方向Ｌ全体をさらに着用者の身体に沿わせることができる。
【０１８３】
すなわち、かかる構成によれば、クロッチ伸縮部２００ａの前後方向位置が決まることで、着用者の身体に使い捨ておむつ１０が正しく適合して、使い捨ておむつ１０のデザインが連動できるようになるという本発明の狙いをより確実に実現することができる。
【０１８４】
クロッチ伸縮部２００ａが収縮した状態は、クロッチ伸縮部２００ａよりも前胴回り域２０側及び後胴回り域３０側の吸収体配置領域における非収縮状態と比べると異なった態様にあるため、着用者に使い捨ておむつ１０を着用させる場合には、クロッチ伸縮部２００ａを着用者の股下部に合わせて装着させることが容易となる。
【０１８５】
また、かかる配置によれば、クロッチ伸縮部２００ａが設けられている吸収性コア４０ａの部位が収縮した状態では、かかる部位の剛性又は厚みが、他の吸収性コア４０ａの部位の剛性又は厚みと異なるようになるため、着用補助者が、使い捨ておむつ１０の股下域２５において着用者の股下部と一致させる部位を認識し易くなる。
【０１８６】
更には、使い捨ておむつ１０の装着後には、クロッチ伸縮部２００ａは、着用者の股下部にて平坦な形状を維持し、使い捨ておむつ１０そのものが、三次元的な形状となり、使い捨ておむつ１０の股下域２５を着用者の股下部に沿わせることができるため、使い捨ておむつ１０の股下域２５と着用者の股下部とが一致して装着されることがより確実となる。
【０１８７】
さらに、図１に示すように、製品長手方向Ｌにおけるクロッチ伸縮部２００ａの中央位置Ｏ２における製品幅方向Ｗの長さＷ５（自然状態）は、製品長手方向Ｌにおけるクロッチ伸縮部２００ａの端部における製品幅方向Ｗの長さＷ６（自然状態）よりも短くなるように構成されていてもよい。
【０１８８】
かかる構成によれば、クロッチ伸縮部２００ａの外観から見た形状が、例えば女性の下着の股下部のようにくびれた形状となっているため、着用補助者は、着用者に使い捨ておむつ１０を履かせる際に、クロッチ伸縮部２００ａが着用者の股下部に配置されるように装着し、さらに装着位置が正しいことを視覚的に確認することができる。
【０１８９】
更には、着用時にも、着用補助者に対して、使い捨ておむつ１０にクロッチ部２００があることを想起させ、より下着に近いイメージを与えることが可能となる。
【０１９０】
図１に示すように、吸収体４０の股下域２５には、切欠部１１０及び切欠部１２０が形成されている。切欠部１１０及び切欠部１２０は、吸収体４０を構成する吸収性コア４０ａが存在しない領域である。
【０１９１】
本実施形態において、切欠部１１０及び切欠部１２０は、吸収性コア４０ａの目付けが他の吸収性コア４０ａの部位よりも低い低剛性部に該当する。
【０１９２】
なお、切欠部１１０及び切欠部１２０を形成する代わりに、吸収性コア４０ａの目付を他の吸収性コア４０ａの部位よりもよりも低くなるようにしてもよい。
【０１９３】
図１に示すように、切欠部１１０及び切欠部１２０は、クロッチ伸縮部２００ａの製品長手方向Ｌにおける縁部に沿って形成されている。
【０１９４】
なお、切欠部１１０及び切欠部１２０が形成されている場合であっても、前胴回り域２０及び後胴回り域３０に位置する吸収性コア４０ａと、股下域２５に位置する吸収性コア４０ａとは、完全に切り離されることなく連続していることが好ましい、特に、製品幅方向Ｗにおいて連続していることが好ましい。
【０１９５】
切欠部１１０及び切欠部１２０は、製品幅方向Ｗの外側に行くに連れて、製品長手方向Ｌにおける長さ（自然状態）が長くなるように構成されている。
【０１９６】
このような形状により、吸収性コア４０ａの製品幅方向Ｗの外側が、より縮み易くなるため、使い捨ておむつ１０に、平坦な「底部」を形成することができる。
【０１９７】
また、切欠部１１０よりも前胴回り域２０側に位置する吸収性コア４０ａ及び切欠部１２０よりも後胴回り域３０側に位置する吸収性コア４０ａは、平坦な「底部」から立ち上がり、着用者の身体（腹部及び臀部）の丸みに沿うように湾曲し易くなるため、使い捨ておむつ１０そのものの形状が着用者の体の形により近づくことができる。
【０１９８】
図１に示すように、切欠部１１０の前胴回り域２０側の縁部及び切欠部１２０よりも後胴回り域３０側の縁部は、円弧状であってもよい。
【０１９９】
具体的には、切欠部１１０の前胴回り域２０側の縁部は、円弧の中心が、かかる縁部よりも後胴回り域３０側に位置するような形状であり、切欠部１２０の後胴回り域３０側の縁部は、円弧の中心が、かかる縁部よりも前胴回り域２０側に位置するような形状である。
【０２００】
このような形状により、使い捨ておむつ１の着用者の身体の丸みに沿った変形が、より容易かつ顕著に起き易い。
【０２０１】
切欠部１１０の製品長手方向Ｌの前胴回り域２０側の縁部は、第１変曲部１１５を構成し、切欠部１２０の製品長手方向Ｌの後胴回り域３０側の縁部は、第２変曲部１２５を構成する。
【０２０２】
なお、第１変曲部１１５及び第２変曲部１２５は、製品幅方向Ｗに沿って延びており、使い捨ておむつ１０の曲げ基点となるように構成されている。
【０２０３】
ここで、切欠部１１０及び切欠部１２０は、第１変曲部１１５及び第２変曲部１２５をより良い状態にするために形成されている。
【０２０４】
この結果、クロッチ伸縮部２００ａは、胴回り保持部（すなわち、胴回り保持部を構成する前胴回り域２０、後胴回り域３０及びファスニングテープ９０）の動きに連動しないように構成されている。
【０２０５】
図１及び図２に示すように、本実施形態に係る使い捨ておむつ１０では、自然状態において、クロッチ伸縮部２００ａは、製品幅方向Ｗの中心線Ｏを跨いで左右対称であってもよいし、製品幅方向Ｗの中心線Ｏを境にして、クロッチ伸縮部２００ａの左右の幅の差が１０％以内とされていてもよい。
【０２０６】
本実施形態に係る使い捨ておむつ１０によれば、クロッチ伸縮部２００ａが、着用者の身体の中心を跨いで着用者の股下部に装着される状態とすることができる。
【０２０７】
また、本実施形態に係る使い捨ておむつ１０では、クロッチ伸縮部２００ａは、上述の胴回り保持部及び弾性部材７１と離間して設けられている。
【０２０８】
さらに、本実施形態に係る使い捨ておむつ１０では、クロッチ伸縮部２００ａの製品長手方向Ｌの前胴回り域２０側及び後胴回り域３０側に、非伸縮領域が設けられている。
【０２０９】
また、本実施形態に係る使い捨ておむつ１０では、図１及び図２に示すように、吸収性コア４０ａの製品幅方向Ｗの長さは、前胴回り域２０から股下域２５に向かって短くなり、後胴回り域３０から股下域２５に向かって短くなるように構成されている。
【０２１０】
ここで、クロッチ伸縮部２００ａは、吸収性コア４０ａの製品幅方向Ｗの長さが所定長よりも短くなっている領域に設けられている。
【０２１１】
例えば、所定長は、前胴回り域２０や後胴回り域３０の製品幅方向の長さが長い領域における吸収性コア４０ａの製品幅方向Ｗの長さである。
【０２１２】
吸収性コア４０ａの製品幅方向Ｗの長さが所定長よりも短くなっている領域と前胴回り域２０及び後胴回り域３０の製品幅方向Ｗの長さが諸低調よりも長くなっている領域とでは、製品長さ方向Ｌの単位長さ当たり（例えば、１０ｍｍ当たり）の吸収容量が異なり、かかる所定長よりも短くなっている領域の方が吸収容量が小さい。
【０２１３】
したがって、クロッチ伸縮部２００ａが設けられている領域が、クロッチ伸縮部２００ａで着用者の身体に沿っていることと合わせて、かかる領域では、少ない排泄量でもインジケーター６００が変色しやすく着用者の排泄口に近いことから、吸収量が少ない場合に、かかる領域が、まず変色する領域となる。
【０２１４】
さらに、クロッチ伸縮部２００ａが設けられている領域では、クロッチ伸縮部２００ａによる皺が発生するため、まず、変色する領域（クロッチ伸縮部２００ａ）とその前後に存在する前胴回り域２０及び後胴回り域３０とでインジケーター６００の様子が異なって見える。
【０２１５】
一般的に、クロッチ伸縮部２００ａが設けられている領域では、クロッチ伸縮部２００ａによる皺が発生するため、着用補助者は、かかる領域と非伸縮領域とで、かかるインジケーター６００の変色の様子が異なって見える。
【０２１６】
以上の点を考慮すると、上述の構成によれば、着用補助者は、かかる領域におけるインジケーター６００の変色では、使い捨ておむつ１０を交換せず、かかる領域の製品長手方向Ｌの前胴回り域２０側及び後胴回り域３０側の非伸縮領域におけるインジケーター６００の変色で、使い捨ておむつ１０を交換する目安とすることも可能となる。
【０２１７】
その結果、使い捨ておむつ１０の過度の交換を抑えつつ、適切な使い捨ておむつ１０の交換タイミングを知らせることができる。
【０２１８】
使い捨ておむつ１０の自然状態において、吸収性コア４０ａの肌当接面側及び非肌当接面側に、クロッチ伸縮部２００ａの収縮により凹凸形状（皺）が存在するように構成されている。
【０２１９】
ここで、肌面当接側に形成される凹凸形状（皺）は、非肌面当接側に形成される凹凸形状（皺）と比べて、凹凸形状の高さが高く且つ凹凸形状のピッチが大きくなるように構成されている。
【０２２０】
吸収性コア４０ａの肌当接面側では、排泄物の液流れを防ぐために、凹凸形状の高さが高く及びピッチが大きいことが必要であるのに対して、吸収性コア４０ａの非肌当接面側では、インジケーター６００の視認性を変化させつつも視認可能な状態とするために、凹凸形状の高さが低く且つピッチが小さくなるようにコントロールするこが好ましい。
【０２２１】
そのためには、伸縮シートを吸収性コア４０ａよりも非肌当接面側に配置し、伸縮性シートよりも肌当接面側の製品構成の厚みの方が、伸縮性シートよりも非肌当接面側の厚みの方が小さくなるように構成されている必要がある。
＜インジケーター＞
図２に示すように、本実施形態に係る使い捨ておむつ１０には、インジケーター６００が備えられている。
【０２２２】
ここで、インジケーター６００は、クロッチ伸縮部２００を跨いで製品長手方向Ｌに延びており、水分と接触すると視覚的に変化する変色剤によって構成されている。
【０２２３】
かかる構成によれば、クロッチ伸縮部２００ａが、装着時に、着用者の身体（股下部）に沿うことによって、インジケーター６００が、着用者の排泄口に近い位置に安定して存在することができるようになる。
【０２２４】
その結果、インジケーター６００が偏って変色するという事態や着用者の背中側でのみインジケーター６００の変色が発生するという事態を回避することができる。
【０２２５】
さらに、装着時に、着用者の排泄口及びクロッチ伸縮部２００ａが近いので、最初のインジケーター６００の変色を安定して使い捨ておむつ１０の股下域２５において発生させることができる。
【０２２６】
かかるインジケーター６００は、図２に示すように、製品幅方向Ｗの中心線Ｏに概平行に複数本延びるように構成されていてもよい。
【０２２７】
また、クロッチ伸縮部２００ａが、液不透過性の伸縮性シートで構成されている場合、図２に示すように、インジケーター６００は、伸縮性シートの肌当接面側Ｓ２に配置されている。
【０２２８】
一方、クロッチ伸縮部２００ａが、液透過性の伸縮性シートで構成されている場合、図３に示すように、インジケーター６００は、クロッチ伸縮部２００ａの非肌当接面側Ｓ１に配置されている。
【０２２９】
なお、上述のインジケーター６００の変化（変色）は、使い捨ておむつ１０の非肌当接面側Ｓ１から視認可能である。
【０２３０】
例えば、インジケーター６００が、伸縮性シートの肌当接面側Ｓ２に配置されている場合には、伸縮性シートの光線透過率は、６０％以上８７％以下であることが好ましい。
【０２３１】
例えば、かかる光線透過率の測定方法は、ＪＩＳ-Ｋ７１０５の規格に準拠して行う。ここで、色差計としては、日本電色工業（株） 交照測光式色差計Ｚ-３００Ａを用いてもよい。
【０２３２】
具体的には、使い捨ておむつ１０から取り出した測定対象とするシートを、幅５ｍｍ及び長さ５ｍｍのサンプルとし、濁度計に挟持してＴＴ値を求める。そして、かかるＴＴ値を全光線透過率（％）として記録する。
【０２３３】
なお、かかる測定について１０サンプルで行い、その平均値を光線透過率（％）としてもよい。
【０２３４】
かかる構成によれば、使い捨ておむつ１０の非肌当接面側Ｓ１から、インジケーター６００の変化（変色）について、着用補助者にとって視認が容易となる。
【０２３５】
吸収性コア４０ａとクロッチ伸縮部２００ａとが重なる領域における最も短い吸収性コア４０ａの製品幅方向Ｗの長さ（幅）に対して、クロッチ伸縮部２００ａの製品幅方向Ｗの長さ（幅）が、６０％以上１２０％以下になるように構成されている。
【０２３６】
また、インジケーター６００は、吸収性コア４０ａとクロッチ伸縮部２００ａとが重なる領域から製品長手方向Ｌにクロッチ伸縮部２００ａを超えて延びるように構成されている。
【０２３７】
かかる構成によれば、クロッチ伸縮部２００ａにより吸収性コア４０ａ及びインジケーター６００を、着用者の身体に沿うように持ち上げ、着用者の身体に沿った状態にて、使い捨ておむつ１０を安定して装着できる。
【０２３８】
また、着用時において、クロッチ伸縮部２００ａを構成する伸縮性シートの収縮により吸収性コア４０ａが部分的に縮められて、使い捨ておむつ１０の非肌当接面側（外側）から当該部位を見た場合に、平坦に近い態様の見た目（形状）とすることができ、クロッチ伸縮部２００ａに配置されているインジケーター６００ａをより視認し易くすることができる。
【０２３９】
一方、クロッチ伸縮部２００ａの製品幅方向Ｗの長さ（幅）が、吸収性コア４０ａの製品幅方向Ｗの長さと比較して狭すぎると、クロッチ伸縮部２００ａを平坦に維持しつつ、吸収性コア４０ａを着用者の身体に沿うように持ち上げる効果が発現し難くなる。
【０２４０】
また、クロッチ伸縮部２００ａの製品幅方向Ｗの長さ（幅）が、吸収性コア４０ａの製品幅方向Ｗの長さと比較して長すぎると、吸収性コア４０ａが配置されていない領域が収縮してしまい、クロッチ伸縮部２００ａの製品幅方向Ｗの外側の剛性が高くなる。
【０２４１】
このため、着用者の大腿部にクロッチ伸縮部２００ａが引っ掛かり易くなってしまい、着用感を損ねてしまう。
【０２４２】
また、クロッチ伸縮部２００ａは、吸収性コア４０ａが存在しない領域では、より収縮された状態にて装着されるため、部材同士の重なりが発生し易くなり、クロッチ伸縮部２００ａが硬くなり、履き心地を損ねてしまう。
＜使い捨ておむつ１０の製造方法＞
次に、本実施形態に係る使い捨ておむつ１０の製造方法の一例について説明する。なお、本実施形態において説明しない製造方法については、既存の方法を用いることができる。また、以下に説明する製造方法は、一例であり、他の製造方法によって、本実施形態に係る使い捨ておむつ１０を製造することもできる。かかる使い捨ておむつ１０の製造方法は、構成部品形成工程と、構成部品載置工程と、脚回り形成工程と、クロッチ伸縮形成工程と、切断工程とを少なくとも含む。
【０２４３】
構成部品形成工程では、使い捨ておむつ１０を構成する構成部品を形成する。具体的には、例えば、吸収材料を積層して吸収体４０を成型する。
【０２４４】
構成部品載置工程では、バックシート６０ａを構成するウェブ上に、レッグ伸縮部７５を構成する伸縮性シートや、トップシート５０を構成するウェブ等の他のウェブや、防漏シートや、吸収体４０等の使い捨ておむつ１０を構成する構成部品を載置する。
【０２４５】
脚回り形成工程では、レッグ伸縮部７５のＭＤ方向の外側端部に沿って、トップシート５０、外装シート６０及びバックシート６０ａを切断する。これにより、着用者の脚回りに配置される脚回り開口部３５が形成される。
【０２４６】
クロッチ伸縮形成工程では、非伸張状態で（ただし、搬送に必要なテンションはかかっている）、クロッチ伸縮部２００ａを構成するシートを搬送し、２つのロールを用いて延伸（プレストレッチ）ロールの速度差で伸ばす。
【０２４７】
その後、転写ドラム上に、かかるシートを伸張状態で配置し、製品個々の長さに転写ドラム上でカットし、かかる転写ドラムの回転に伴いリピッチし、連続ウェブ上に転写する。
【０２４８】
切断工程では、トップシート５０やバックシート６０ａや吸収体４０等が配置された連続体を、ＭＤ方向に沿って一製品の大きさに切断する。これにより、使い捨ておむつ１０が製造される。
【０２４９】
本実施形態に係る使い捨ておむつ１０によれば、クロッチ伸縮部２００ａによって収縮された吸収性コア４０ａが、着用者の身体に沿って平坦に維持されるため、装着時の左右ずれや前後ずれが発生しにくい。
【０２５０】
また、本実施形態に係る使い捨ておむつ１０によれば、装着中に、クロッチ伸縮部２００ａが配置されている平坦に維持される領域が折れ曲がりにくくなり、インジケーター６００が、着用補助者から常に見やすい位置に保持されやすくなる。
【０２５１】
また、本実施形態に係る使い捨ておむつ１０によれば、クロッチ伸縮部２００ａが配置されている領域では、吸収性コア４０ａが収縮されるため、他の領域と比べて高目付となり、かつ、吸収体４０の表面に緩やかな凹凸ができるため、排泄液の表面流れが起きにくく安定して吸収される。
【０２５２】
さらに、本実施形態に係る使い捨ておむつ１０によれば、クロッチ伸縮部２００ａが配置されている領域における吸収体４０の吸収容量を超えた場合、上述の非伸縮領域におけるインジケーター６００が変色するため、着用補助者は、排泄液の吸収量を把握することができるため、過度な使い捨ておむつ１０の交換を避け、適切なタイミングで使い捨ておむつ１０を交換することができる。
【０２５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２５４】
１０…使い捨ておむつ
２０…前胴回り域
２５…股下域
３０…後胴回り域
３５…脚回り開口部
４０…吸収体
４０ａ…吸収性コア
４０ｂ…コアラップ
５０…トップシート
６０ａ…バックシート
６０…外装シート
６１…シート
７０…サイドフラップ
７１…弾性部材
７５…レッグ伸縮部
８０…レッグサイドギャザー
８１…接合部分
８２…自由端部分
９０…ファスニングテープ
９５…ターゲット部
１００…ウェスト伸縮部
１１０、１２０…切欠部
１１５…第１変曲部
１２５…第２変曲部
２００…クロッチ部
２００ａ…クロッチ伸縮部
６００…インジケーター
【図１】
2014094194.tif 000003
【図２】
2014094194.tif 000004
【図３】
2014094194.tif 000005
【図４】
2014094194.tif 000006
【図５】
2014094194.tif 000007
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記脚回り開口部に沿って、前記股下域を跨ぎ前記前胴回り域から前記後胴回り域まで延びるように形成されているレッグ弾性部材と、
前記前胴回り域及び前記後胴回り域において、前記製品幅方向に沿って延び、前記使い捨ておむつを着用者の身体に保持するように構成されている胴回り保持部と、
前記股下域において前記製品幅方向の中心を跨ぎ前記吸収体が配置されている領域と重なる位置に形成されている伸縮可能なクロッチ伸縮部とを備え、
前記クロッチ伸縮部は、前記胴回り保持部及び前記レッグ弾性部材と離間して設けられており、
前記クロッチ伸縮部の前記製品長手方向の前記前胴回り域側及び前記後胴回り域側に、非伸縮領域が設けられており、
前記クロッチ伸縮部を跨いで前記製品長手方向に延び、水分と接触すると視覚的に変化するように構成されているインジケーターが備えられており、
前記変化は、前記使い捨ておむつの非肌当接面側から視認可能であり、
前記クロッチ伸縮部の前記製品長手方向における収縮量は、前記使い捨ておむつの前記製品長手方向における長さの２％以上８％以下であることを特徴とする使い捨ておむつ。
【請求項２】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記脚回り開口部に沿って、前記股下域を跨ぎ前記前胴回り域から前記後胴回り域まで延びるように形成されているレッグ弾性部材と、
前記前胴回り域及び前記後胴回り域において、前記製品幅方向に沿って延び、前記使い捨ておむつを着用者の身体に保持するように構成されている胴回り保持部と、
前記股下域において前記製品幅方向の中心を跨ぎ前記吸収体が配置されている領域と重なる位置に形成されている伸縮可能なクロッチ伸縮部と、
前記後胴回り域において、前記製品幅方向に延びるファスニングテープと、
前記前胴回り域の非肌当接面に配置され、前記ファスニングテープが止着されるターゲット部と、
を備え、
前記後胴回り域における胴回り保持部は、前記ファスニングテープの係合部材が設けられた領域から前記製品幅方向に延びる範囲であり、
前記前胴回り域における胴回り保持部は、前記ターゲット部が設けられた領域から前記製品幅方向に延びる範囲であり、
前記クロッチ伸縮部は、前記胴回り保持部及び前記レッグ弾性部材と離間して設けられており、
前記クロッチ伸縮部の前記製品長手方向の前記前胴回り域側及び前記後胴回り域側に、非伸縮領域が設けられており、
前記クロッチ伸縮部を跨いで前記製品長手方向に延び、水分と接触すると視覚的に変化するように構成されているインジケーターが備えられており、
前記変化は、前記使い捨ておむつの非肌当接面側から視認可能であり、
前記製品長手方向における前記クロッチ伸縮部の中心は、前記製品長手方向における前記使い捨ておむつの中心よりも、前記前胴回り域側に配置されていることを特徴とする使い捨ておむつ。
【請求項３】
前記吸収体は、吸収性コアを有しており、
前記吸収性コアの前記製品幅方向の長さは、前記前胴回り域から前記股下域に向かって短くなり、前記後胴回り域から前記股下域に向かって短くなるように構成されており、
前記クロッチ伸縮部は、前記吸収性コアの前記製品幅方向の長さが所定長よりも短くなっている領域に設けられていることを特徴とする請求項１又は２に記載の使い捨ておむつ。
【請求項４】
前記吸収体は、吸収性コアを有しており、
前記クロッチ伸縮部の収縮率は、１.２倍以上１.８倍以下であり、
前記使い捨ておむつの自然状態において、前記吸収性コアの肌当接面側及び非肌当接面側に、前記クロッチ伸縮部の収縮により凹凸形状が存在するように構成されており、
前記肌当接面側に形成される凹凸形状は、前記非肌当接面側に形成される凹凸形状と比べて、高さが高く且つピッチが大きくなるように構成されていることを特徴とする請求項１乃至３のいずれか一項に記載の使い捨ておむつ。
【請求項５】
前記後胴回り域の前記製品長手方向における長さと前記前胴回り域の前記製品長手方向における長さとの比率は、１.１以上１.６以下であることを特徴とする請求項１乃至４のいずれか一項に記載の使い捨ておむつ。
【請求項６】
前記吸収体は、吸収性コアを有しており、
前記クロッチ伸縮部の前記製品幅方向における長さと前記吸収性コアの前記製品幅方向における長さとの比率は、６０％以上１２０％以下であることを特徴とする請求項１乃至５のいずれか一項に記載の使い捨ておむつ。
【請求項７】
前記クロッチ伸縮部は、伸縮シートによって構成されており、
前記インジケーターよりも非肌当接面側に、前記伸縮シートが設けられており、
前記伸縮シートの光線透過率は、６０％以上８７％以下であることを特徴とする請求項１乃至６のいずれか一項に記載の使い捨ておむつ。
【手続補正２】
【補正対象書類名】明細書
【補正対象項目名】００２９
【補正方法】変更
【補正の内容】
【００２９】
ここで、股下域２５内に、クロッチ部２００が形成されており、クロッチ部２００よりも着用者の腹側の領域を、前胴回り域２０と定義し、クロッチ部２００よりも着用者の背側の領域を、後胴回り域３０と定義とするものとする。
【手続補正３】
【補正対象書類名】明細書
【補正対象項目名】０２１２
【補正方法】変更
【補正の内容】
【０２１２】
吸収性コア４０ａの製品幅方向Ｗの長さが所定長よりも短くなっている領域と前胴回り域２０及び後胴回り域３０の製品幅方向Ｗの長さが所定長よりも長くなっている領域とでは、製品長さ方向Ｌの単位長さ当たり（例えば、１０ｍｍ当たり）の吸収容量が異なり、かかる所定長よりも短くなっている領域の方が吸収容量が小さい。
【手続補正４】
【補正対象書類名】明細書
【補正対象項目名】０２１９
【補正方法】変更
【補正の内容】
【０２１９】
ここで、肌当接面側に形成される凹凸形状（皺）は、非肌当接面側に形成される凹凸形状（皺）と比べて、凹凸形状の高さが高く且つ凹凸形状のピッチが大きくなるように構成されている。